(57)【特許請求の範囲】
【請求項１】
第一の伝え車本体部及び該第一の伝え車本体部と一体的な第一の歯車部を備えた第一の伝え車と、
第二の伝え車本体部及び該第二の伝え車本体部と一体的で前記第一の歯車部に噛合された第二の歯車部を備えた第二の伝え車と、
一端側の第一の連結部において第一の伝え車本体部に回転自在に連結され他端側に第二の連結部を備えた第一のリンク部材と、
一端側の第三の連結部において第二の伝え車本体部に回転自在に連結され、他端側の第四の連結部で前記第一のリンク部材の第二の連結部に回動自在に連結された第二のリンク部材と、
第一のリンク部材の前記他端側に設けられた表示部と
を有する時計の表示機構。
【請求項２】
前記第一の伝え車が第一の巻印伝え車であり、前記第二の伝え車が第二の巻印伝え車であり、前記表示部が巻印残量表示部である請求項１に記載の巻印残量表示機構。
【請求項３】
第一の伝え車が回転の伝達に関して第二の伝え車よりも上流側に位置する請求項２に記載の巻印残量表示機構。
【請求項４】
巻印残量表示部が第一のリンク部材のうち第一の連結部から第二の連結部よりも離れたところに形成されている請求項２又は３に記載の巻印残量表示機構。
【請求項５】
第一の歯車部の歯数が第二の歯車部の歯数よりも多い請求項２から４までのいずれか一つの項に記載の巻印残量表示機構。
【請求項６】
第一の歯車部と第二の歯車部との歯数比が２対１である請求項５に記載の巻印残量表示機構。
【請求項７】
第一のリンク部材の第一及び第二の連結部間の腕の長さが、第二のリンク部材の第三及び第四の連結部間の腕の長さ以上である請求項３から６までのいずれか一つの項に記載の巻印残量表示機構。
【請求項８】
第一の歯車部と第二の歯車部との歯数比が１対１であり、第一のリンク部材の第一及び第二の連結部間の腕の長さが、第二のリンク部材の第三及び第四の連結部間の腕の長さと同じであり、巻印残量表示部が第一及び第二のリンク部材を回動自在に連結する連結部に設けられている請求項２に記載の巻印残量表示機構。
【請求項９】
表示部の移動量が巻印残量の変化に対して非線形に依存する請求項２から８までのいずれか一つの項に記載の巻印残量表示機構。
【請求項１０】
請求項１から９までのいずれか一つの項に記載の表示機構を備えた時計。
【発明の詳細な説明】
【技術分野】
【０００１】
本発明は、巻印残量表示機構として用いられるに適した表示機構及びこれを備えた時計に係る。
【背景技術】
【０００２】
駆動源の少なくとも一部がぜんまいである時計において、巻印残量ないしパワーリザーブ量（ぜんまい巻上げ残量ないしぜんまい残量）の表示に趣向をこらす試みは提案されている（例えば、特許文献１〜３）。
【０００３】
特許文献１は、セグメントないしセクタ歯車部（扇形歯車部）を複数個一体的に備えた歯車（ここでは、セグメント歯車という）を用いて、ぜんまいの巻上げ残量の変化に応じて回転する出力歯車から離れたところで、巻印表示車を駆動してぜんまい残量を表示させるようにした巻印残量表示機構について開示している。
【０００４】
これによって、表示領域を選択し得るものの、表示自体は、従来の円弧状ないし扇形の表示に変わりはなく、また、該表示における円弧ないし扇の中心は時計の拡がりの範囲内にあることから、外観だけが見えるユーザに対して変化（趣向）を感じさせ難い。
【０００５】
特許文献２は、直線状表示が行われる点では表示に斬新さがあるものの、該直線状表示のために雄ねじと雌ねじとを組合わせたものであり、直線以外の形態の表示は実際上できない。
【特許文献１】特開２００５−２１４６５５号公報
【特許文献２】特開２００６−２３４４３２号公報
【発明の開示】
【発明が解決しようとする課題】
【０００６】
本発明は前記諸点に鑑みなされたものであり、その目的とするところは、基本構造を変えることなく種々の軌跡の表示を行い得る時計の表示機構、巻印残量表示機構及び該機構を備えた時計を提供することにある。
【課題を解決するための手段】
【０００７】
本発明の時計の表示機構は、前記目的を達成すべく、第一の伝え車本体部及び該第一の伝え車本体部と一体的な第一の歯車部を備えた第一の伝え車と、第二の伝え車本体部及び該第二の伝え車本体部と一体的で前記第一の歯車部に噛合された第二の歯車部を備えた第二の伝え車と、一端側の第一の連結部において第一の伝え車本体部に回転自在に連結され他端側に第二の連結部を備えた第一のリンク部材と、一端側の第三の連結部において第二の伝え車本体部に回転自在に連結され、他端側の第四の連結部で前記第一のリンク部材の第二の連結部に回動自在に連結された第二のリンク部材と、第一のリンク部材の前記他端側に設けられた表示部とを有する。
【０００８】
本発明の時計の表示機構では、「上述のような相互に噛合する第一及び第二の歯車部、該第一及び第二の伝え車本体部に夫々の一端で連結され他端側が相互に連結された第一及び第二のリンク部材、並びに第一のリンク部材の前記他端側に設けられた表示部を有する」ので、比較的少数の可動要素の連結であるにもかかわらず、条件を変更するだけで、表示部に数限りなくバリエーションのある所望の形状の軌跡を描かせ得る。
【０００９】
本発明の時計の表示機構において、表示部の表示のパターンの変更は、主に、
（１）第一及び第二の歯車部の歯数比（又は、例えば、第一の伝え車の回転中心から第一の連結部までの径と第二の伝え車の回転中心から第三の連結部までの径との比）、
（２）第一及び第二の連結部間の距離と第三及び第四の連結部間の距離との比、
（３）表示部が取付けられているリンク部材が、第一及び第二のリンク部材のうちの長い方か短い方かの別、
（４）表示部が取付けられている第一のリンク部材が、運動の伝達について、上流側の伝え車に取付けられたリンク部材であるか下流側の伝え車に取付けられたリンク部材であるかの別、並びに
（５）初期位置において、第一及び第三の連結部が対応する第一及び第二の伝え車本体部に対して位置する位相（角度位置）
等に依存する。ここで、表示部がその軌跡として、単純な直線から、Ｓ字状の如き複雑な曲線状まで種々の線を採り得るだけでなく、蛇行状その他のより複雑な線を採ることも可能である。ここで、（３）や（５）はリンク機構の条件である。
【００１０】
本発明の時計の表示機構は、典型的には、巻印残量表示機構からなり、該巻印残量表示機構では、前記第一の伝え車が第一の巻印伝え車であり、前記第二の伝え車が第二の巻印伝え車であり、表示部が巻印残量表示部である。
【００１１】
その場合、文字板の空き領域を利用して、ぜんまいの巻印残量（パワーリザーブ（量））を、所望のユニークで目立ち得る軌跡で表示することが可能になる。但し、所望ならば、本発明の時計の表示機構は、巻印残量以外の量の表示に用いられてもよい。
【００１２】
本発明の時計の巻印残量表示機構では、典型的には、第一の伝え車が回転の伝達に関して第二の伝え車よりも上流側に位置する。
【００１３】
その場合、第一の伝え車に一端側でつながった第一のリンク部材の他端側に設けられた表示部は、典型的には、第一の伝え車よりも第二の伝え車に近い側において軌跡を描く。従って、第一の伝え車に対して運動の伝達を行う機構（典型的には、例えば、遊星ユニット等）から離れた側で表示を行い得るので、時計のスペースを有効に利用し易く、且つ大きな軌跡を描かせることが可能になるから、所望の大きさで所望の形状（パターン）の表示を行い得る。但し、所望ならば、第一の伝え車が回転の伝達に関して第二の伝え車よりも下流側に位置していてもよい。
【００１４】
本発明の時計の巻印残量表示機構では、典型的には、巻印残量表示部が第一のリンク部材のうち第一の連結部から第二の連結部よりも離れたところに形成されている。
【００１５】
その場合、変位が拡大され易いので、大きな軌跡を描かせることが可能になるから、所望の大きさで所望の形状（パターン）の表示を行い易い。
【００１６】
本発明の時計の巻印残量表示機構では、典型的には、第一の歯車部の歯数が第二の歯車部の歯数よりも多い。
【００１７】
その場合、表示部の軌跡を細かく変化させ易い。但し、所望ならば、第一の歯車部の歯数が第二の歯車部の歯数よりも少なくてもよい。
【００１８】
本発明の時計の巻印残量表示機構では、典型的には、第一の歯車部と第二の歯車部との歯数比が２対１である。
【００１９】
その場合、大きく変化する曲線状の軌跡を描き易い。但し、２対１は、厳密な数ではなく、凡その割合であり、１．５対１〜２．５対１程度の範囲内の割合であればよい。勿論、所望の特定のパターンのためには、３対１程度又はそれよりもはるかに異なる割合であっても、その逆に、１〜１．５対１程度と同程度の歯数であってもよい。なお、ここで、歯数比は、前述のように、径の比で代替され得る。
【００２０】
本発明の時計の巻印残量表示機構では、典型的には、第一のリンク部材の第一及び第二の連結部間の腕の長さが、第二のリンク部材の第三及び第四の連結部間の腕の長さ以上である。
【００２１】
その場合、歯車部の歯数の条件と同様に、表示部の軌跡を細かく変化させ易い。但し、所望ならば、第一のリンク部材の連結部間の腕の長さが第二のリンク部材の連結部間の腕の長さよりも短くてもよい。
【００２２】
本発明の時計の巻印残量表示機構では、典型的には、第一の歯車部と第二の歯車部との歯数比が１対１であり、第一のリンク部材の第一及び第二の連結部間の腕の長さが、第二のリンク部材の第三及び第四の連結部間の腕の長さと同じであり、巻印残量表示部が第一及び第二のリンク部材を回動自在に連結する連結部に設けられている。
【００２３】
その場合、鏡映対称の中心線に沿って直線状軌跡が得られる。なお、この軌跡も、単に一方向に移動する直線状軌跡であるだけでなく、少なくとも一部において往復移動する直線状軌跡になり得る。
【００２４】
以上においては、二次元平面における平面図形として捉えた軌跡に注目したけれども、ぜんまいの一定時間分の巻上げや巻き戻しに対する前記軌跡に沿った移動量（変位量）の変化の仕方に注目することもできる。
【００２５】
この観点で見た場合、本発明の時計の巻印残量表示機構では、表示部の移動量が巻印残量の変化に対して非線形に依存する。
【００２６】
例えば、ぜんまいが完全巻上げに近い状態におけるぜんまいの一定時間分の巻上げや巻き戻しに対する前記軌跡に沿った移動量（変位量）が、ぜんまいが完全巻戻し（ほどけ）に近い状態におけるぜんまいの一定時間分の巻上げや巻き戻しに対する前記軌跡に沿った移動量（変位量）よりも大きくするか小さくするかによって、完全巻上げ状態の近傍におけるぜんまい残量を正確に表示できるようにしたり、その反対に、完全巻戻し（ほどけ）状態の近傍におけるぜんまい残量を正確に表示できるようにしたりすることが可能になる。勿論、中間の状態をより正確に表示させることも可能になる。
【００２７】
本発明の時計の巻印残量表示機構では、表示部の軌跡を所望に応じて大幅に変更し得るので、所望の領域の拡大表示が容易に行われ得る。
【００２８】
本発明の時計は、上述のような表示機構を備える。
【発明を実施するための最良の形態】
【００２９】
本発明の好ましい一実施の形態のいくつかを添付図面に示した好ましい実施例に基づいて説明する。
【実施例】
【００３０】
図１及び図２には、本発明の好ましい一実施例の巻印残量表示機構１を備えた機械式時計２の本体部ないしムーブメント３が示され、図５には、機械式時計２を文字板側からみた外観が示されている。
【００３１】
時計２のムーブメント３は、図２に示したように、香箱１０を備え、巻印残量表示機構１は、図１からわかるように、遊星車機構ないし遊星ユニット１００及び巻印残量表示機構本体部５を有する。この例では、図２からわかるように、ムーブメント３は、静置支持体として、地板２１、香箱受２２、第二地板２３及び第二輪列受２４等を含む。
【００３２】
香箱１０はぜんまい１１を内部に備え、ぜんまい１１は、角穴ねじ１２で香箱真１３に固定された角穴車１４の回転に応じて巻上げられる。ぜんまい１１の巻上げの際には、香箱真１３に取付けられた香箱真かな１５がＡ方向に回転され、ぜんまい１１の巻戻しの際には香箱かな１６が香箱歯車１７と共にＡ方向に回転される。
【００３３】
遊星ユニット１００は、香箱かな１６に噛合した第一太陽歯車１１１及び第一太陽かな１１２を備えた第一太陽車１１０、第二太陽歯車１２１及び第二太陽かな１２２を備え第一太陽車１１０と同心の第二太陽車１２０、遊星中間歯車１３１及びスペーサ１３２，１３２（図１）を備え第一及び第二太陽車１１０，１２０と同心の遊星中間車１３０、第一太陽かな１１２に噛合され遊星中間車１３０に回転自在に支持された第一遊星歯車１４１及び第二太陽かな１２２に噛合され第一遊星歯車１４１と同軸でかつこれより小径の第二遊星歯車１４２からなる遊星車１４０を有する。遊星中間歯車１３１は、遊星伝え車１５０を介して香箱真かな１５に噛合されている。遊星伝え車１５０は、遊星中間歯車１３１に噛合された遊星伝え歯車１５１及びこれと一体で香箱真かな１５に噛合された遊星伝えかな１５２からなる。
【００３４】
従って、ぜんまい１１の巻上げに伴う香箱真かな１５のＡ方向回転に応じて、遊星ユニット１００の第二太陽歯車１２１がＢ２方向に回転され、ぜんまい１１の巻戻しに伴う香箱かな１６のＡ方向回転に応じて、遊星ユニット１００の第二太陽歯車１２１がＢ１方向に回転される。ここで、遊星ユニット１００の第二太陽歯車１２１が巻印残量表示機構１の出力歯車として働く。巻印残量表示機構１の出力歯車は、ぜんまい１１の巻上げ及び巻戻しに応じて、典型的には大きく減速された状態で、逆向きに回転される限り、遊星ユニット１００の第二太陽車１２１の代わりに他のどのようなものでもよい。
【００３５】
なお、機械式時計２は、図５に示したように、時針３４、分針３５及び秒針３６を備え、ぜんまい１１の巻戻しに伴う時計輪列（図示せず）の回転に応じて、文字板７の前面において回転する時針３４、分針３５及び秒針３６により時刻が表示される。
【００３６】
巻印残量表示機構本体部５は、例えば、図１及び図２からわかるように、巻印第一伝え車４０と、巻印第二伝え車５０と、巻印第一伝えリンク６０と、巻印第二伝えリンク７０と、巻印残量表示体８０とを有する。
【００３７】
巻印第一伝え車４０は、第二地板２３に支持された軸状部４１に回転自在に支持された第一の伝え車本体部としての第一円板状部４２と、該円板状部４２と一体的な第一歯車部４４とを有する。巻印第一伝え車４０は、第一歯車部４４で、遊星ユニット１００の出力歯車をなす第二太陽歯車１２１に噛合され、第二太陽歯車１２１のＢ１，Ｂ２方向回転に応じて、軸状部４１の中心軸線ＤのまわりでＤ１，Ｄ２方向に回転される。
【００３８】
巻印第二伝え車５０は、第二地板２３に支持された軸状部５１に回転自在に支持された第二の伝え車本体部としての第二円板状部５２と、該円板状部５２と一体的な第二歯車部５４とを有する。巻印第二伝え車５０は、第二歯車部５４で、巻印第一伝え車４０の第一歯車部４４に噛合され、第二太陽歯車１２１のＢ１，Ｂ２方向回転に応じて、巻印第一伝え車４０を介して、軸状部５１の中心軸線ＥのまわりでＥ１，Ｅ２方向に回転される。
【００３９】
巻印第一伝えリンク６０は、この例では、二つの腕部６１，６２が接続部６３で相互に角度をなしてつながり、全体として「へ」の字状の形状（Ｌ字状であって脚部が鈍角のもの）を有する。この巻印第一伝えリンク６０は、一方の腕部６１の先端部６４で連結ピン構造体６５を介して巻印第一伝え車４０の第一円板状部４２の第一リンク接続部４５に回転自在に接続されている。
【００４０】
巻印第二伝えリンク７０は、この例では、直線状腕部７１からなり、該直線状腕部７１の一端部７２で連結ピン構造体７３を介して巻印第二伝え車５０の第二円板状部５２の第二リンク接続部５５に回転自在に接続されている。
【００４１】
巻印第一伝えリンク６０は、更に、腕部６１，６２の接続部となっている曲折部６３において、第二伝えリンク７０をなす直線状腕部７１の他端部７４に、リンク結節手段として働くリンク連結ピン構造体８８を介して回転自在に接続されている。
【００４２】
巻印残量表示体８０は、巻印第一伝えリンク６０の腕部６２の他端部６６に基端部８１で取付けられ、軸部８２が文字板７の溝状間隙８３を介して突出し、表示部８４が文字板７の前面側の位置する。
【００４３】
この巻印残量表示機構１では、香箱１０のぜんまい１１の巻上げによる香箱真かな１５のＡ方向回転に伴う遊星ユニット１００の第二太陽歯車１２１のＢ２方向回転に応じて、巻印第一伝え車４０がＤ２方向に回転され、該巻印第一伝え車４０の歯車部４４に歯車部５４で噛合した巻印第二伝え車５０がＥ２方向に回転される。この巻印第一及び第二伝え車４０，５０のＤ２，Ｅ２方向回転に応じた第一及び第二伝えリンク６０，７０の揺動によって、第一伝えリンク６０の先端部６６に固定された表示部８０が、溝８３に沿って、Ｆ２方向にＳ字状の軌跡Ｆを描く。
【００４４】
一方、香箱１０のぜんまい１１の巻戻し（ほどけ）に伴う通常運針状態では、香箱かな１６のＡ方向回転に伴う遊星ユニット１００の第二太陽歯車１２１のＢ１方向回転に応じて、巻印第一伝え車４０がＤ１方向に回転され、巻印第二伝え車５０がＥ１方向に回転される。この巻印第一及び第二伝え車４０，５０のＤ１，Ｅ１方向回転に応じた第一及び第二伝えリンク６０，７０の揺動によって、表示部８０が、溝８３に沿って、Ｆ１方向にＳ字状の軌跡Ｆを描く。
【００４５】
ここで、軌跡Ｆは、次に詳細に説明するように、関連する各種のパラメータに依存してＳ字状であったりそれ以外であったり、種々の形態を採り得る。
【００４６】
すなわち、巻印残量表示機構１の本体部５は、図６の（ａ）及び（ｂ）に示したような各種のパラメータに依存し得る。但し、図６の（ａ）及び（ｂ）は、単に各種変数やパラメータの説明のための図であって、図１や図５の表示には対応していない。図５の機械式時計２においてＳ字状表示を行わせる巻印残量表示機構１は、例えば、図１、図３及び図４並びに図２に示した通りであり、この巻印残量表示機構１についての図６の（ａ）及び（ｂ）と同様な模式的表示は、図７に示す通りである。
【００４７】
まず、軌跡Ｆの一般的表記について、図６の（ａ）及び（ｂ）に基づいて、具体的に説明する。以下の説明において、巻印第一伝えリンク６０の腕部６１と巻印第二伝えリンク７０の長さとが同一であると仮定している点を除いては、一般性がある。軌跡Ｆとして大きな動きを与えるためには、通常は、両者の長さが同程度であることが好ましいけれども、所望ならば両者の長さが大きく異なっていてもよい。
【００４８】
表示体８０の表示部８４の位置Ｈを、図６の（ａ）及び（ｂ）に示したように、巻印第一伝え車４０の回転中心Ｄと巻印第二伝え車５０の回転中心Ｅとを結ぶ方向をＸ軸としこれに直角な方向をＹ軸とするＸ−Ｙ直交座標系に基づいて、Ｈ(x,y)と表す。ぜんまい１１が完全に巻戻された状態に対応する完全巻戻し位置ないし初期位置Ｈ0(x0,y0)にあった表示体８０の表示部８４の位置Ｈ（x,y）は、ぜんまい１１の巻上げに伴う巻印第一及び第二伝え車４０，５０の歯車４４，５４のＤ２，Ｅ２方向回転に応じて、次の（式１）及び（式２）で示す通り変化する。但し、以下において、角度θ1及びθ2について、Ｘ軸の正及び負方向を基準としてＤ１方向（−Ｄ２方向）及びＥ１方向（−Ｅ２方向）に角度を採る。
x=(a・cosθ1+L1・cosβ)+L2・cos(β-ξ)                                  （式１）
y=(a・sinθ1+L1・sinβ)+L2・sin(β-ξ)                                  （式２）
【００４９】
ここで、
「a」は、巻印第一伝え車４０の回転中心Ｄから巻印第一伝えリンク６０の（基端側腕部６１の）回転中心６５（接続部４５）までの長さ、
「L1」は、巻印第一伝えリンク６０の基端側腕部６１の長さ、
「L2」は、巻印第一伝えリンク６０の先端側腕部６２の長さ、
「θ1」は、巻印第一伝え車４０の回転中心Ｄと巻印第一伝えリンク６０の基端側腕部６１の回転中心６５とを結ぶ線がＸ軸に対して成す角度、
「β」は、巻印第一伝えリンク６０の基端側腕部６１がＸ軸に対して成す角度、
「ξ」は、巻印第一伝えリンク６０の先端側腕部６２が基端側腕部６１に対して成す角度
である。
【００５０】
また、巻印第一伝えリンク６０の基端側回動中心６５（巻印第一伝え車４０との回動連結部４５）と巻印第二伝えリンク７０の基端側回動中心７３（巻印第二伝え車５０との回動連結部５５）とを結ぶ線分ＫがＸ軸に対して成す角度を「α」とすると、角度β，α，γが、次の条件（式３）、（式４）及び（式５）を満たす。但し、前述のように、ここでは、巻印第二伝えリンク７０の長さが、巻印第一伝えリンク６０の腕部６１と同じ長さL1であると想定している。一般的には、巻印第二伝えリンク７０の長さが、巻印第一伝えリンク６０の腕部６１よりも長くても短くてもよいことも前述の通りである。
β=(π-γ/2)-α                                                        （式３）
α=arctan[(a・sinθ1-b・sinθ2)/[J-(a・cosθ1-b・cosθ2)]]                  （式４）
γ=arccos[[2・L12-[J-(a・cosθ1+b・cosθ2)2-(a・sinθ1-b・sinθ2)2]]/(2・L12)]  （式５）
【００５１】
ここで、
「b」は、巻印第二伝え車５０の回転中心Ｅから巻印第二伝えリンク７０の回動中心７３までの長さ、
「J」は、巻印第一伝え車４０の回転中心Ｄと巻印第二伝え車５０の回転中心Ｅとの距離、
「θ2」は、巻印第二伝え車５０の回転中心Ｅと巻印第二伝えリンク７０の回動中心７３とを結ぶ線がＸ軸（負方向）に対して成す角度である。
【００５２】
なお、巻印第一及び第二伝え車４０，５０の歯車４４，５４が噛合していることから、次の条件（式６）、（式７）及び（式８）が満たされる。
θ2=θ02+ω・(θ1-θ01)                                                （式６）
r1=ω・r2                                                            （式７）
J=R1+R2                                                              （式８）
【００５３】
ここで、
「θ01」は、完全巻戻し位置ないし初期位置Ｈ0(x0,y0)において、巻印第一伝え車４０の回転中心Ｄと基端側回動中心６５（接続部４５）とを結ぶ線がＸ軸に対して成す角度（角度θ1の初期値）、
「θ02」は、完全巻戻し位置ないし初期位置Ｈ0(x0,y0)において、巻印第二伝え車５０の回転中心Ｅと回動中心７３（接続部５５）とを結ぶ線がＸ軸に対して成す角度（角度θ2の初期値）、
「ω」は、巻印第一及び第二伝え車４０，５０の歯車４４，５４の歯数比（増速比）、
「r1」は、巻印第一伝え車４０の歯車４４の歯数、
「r2」は、巻印第二伝え車５０の歯車５４の歯数、
「R1」は、巻印第一伝え車４０の歯車４４の半径、
「R2」は、巻印第二伝え車５０の歯車５４の半径
である。
図６の（ａ）及び（ｂ）において角度θ1，θ2の増大する方向は、前述の通り、ぜんまい１１の巻上げの際に巻印第一及び第二伝え車４０，５０が回転する方向Ｄ２，Ｅ２である。
【００５４】
以上の（式１）〜（式８）からわかるように、この巻印残量表示機構１では、リンク６０の腕部６１及び直線状リンク７０が同一の長さ(L1)であるとしても、表示体８０の表示部８４による表示パターンないし表示の軌跡ＦすなわちＨ(x,y)は、多くのパラメータに依存して変化され得る。
【００５５】
その主なものは、
（１）巻印第一及び第二伝えリンク６０，７０の初期位置(θ01,θ02)
（２）歯数比ないし増速比(ω)、巻印伝え車の回転中心から対応するリンク接続部（リンクの回動中心）までの距離の比(r1/r2)又は巻印第一及び第二伝え車４０，５０の歯車４４，５４の半径(R1,R2)（典型的には、半径比R1/R2）
（３）巻印第一伝えリンク６０の基端側腕部６１の長さ(L1)に対する巻印第一及び第二伝え車４０，５０の回転中心Ｄ，Ｅ間の距離(R1+R2)の相対的な大きさ[(R1+R2)/L1]
（４）巻印第一伝えリンク６０の先端側腕部６２の基端側腕部６１に対する相対的な長さ(L2/L1)及び角度(ξ)
である。
【００５６】
図７には、巻印残量表示機構１の一実施例が、示されている。この一実施例の巻印残量表示機構１では、
（１）巻印第一及び第二伝えリンク６０，７０の初期位置θ01=70度,θ02=140度、
（２）歯数比ないし増速比ω=2で、巻印伝え車４０，５０の半径R1=300, R2=150、巻印第一伝え車４０の回転中心Ｄから巻印第一伝えリンク６０の腕部６１の回動中心６５までの長さa=240, 巻印第二伝え車５０の回転中心Ｅから巻印第二伝えリンク７０の回動中心７３までの長さb=100、
（３）巻印第一伝えリンク６０の基端側及び先端側腕部６１，６２の長さL1=450, L2=250、
（４）巻印第一伝えリンク６０の先端側腕部６２の基端側腕部６１に対する角度ξ=45度
である。
【００５７】
この場合、図７において、実線で示したように、第一伝えリンク６０の基端側回動中心６５が完全巻戻し位置Ｑ１0にあり、第二伝えリンク７０の基端側回動中心７３が初期位置Ｕ１0にある場合、表示体８０の表示部８４は、完全巻戻し位置Ｐ１0を採る。この位置及び状態は、図１で示した状態（完全巻戻し状態）Ｓ１0に対応する。
【００５８】
一方、ぜんまい１１の巻上げに応じて、巻印第一伝え車４０がＤ２方向に回転し巻印第二伝え車５０がＥ２方向に回転して、図７において想像線で示したように、第一伝えリンク６０の基端側回動中心６５が中間位置Ｑ１にあり、第二伝えリンク７０の基端側回動中心７３が中間位置Ｕ１にある場合、表示体８０の表示部８４は、線Ｆに沿って完全巻戻し位置Ｐ１0からＦ２方向に移動した中間位置Ｐ１を採る。この位置Ｐ１及び状態Ｓ１は、図３で示した状態（中間状態）Ｓ１に対応する。
【００５９】
ぜんまい１１の更なる巻上げに応じた巻印第一及び第二伝え車４０，５０のＤ２，Ｅ２方向回転により、図７において想像線で示したように、第一伝えリンク６０の基端側回動中心６５がフル巻上位置Ｑ１fに達し、第二伝えリンク７０の基端側回動中心７３がフル巻上位置Ｕ１fに達した場合、表示体８０の表示部８４は、Ｓ字状の線Ｆに沿って更にＦ２方向に移動してフル巻上位置Ｐ１fないし状態Ｓ１fを採る。この位置Ｐ１f及び状態Ｓ１fは、図４で示した状態（フル巻上状態）Ｓ１fに対応する。
【００６０】
その結果、巻印残量表示機構１では、表示体８０の表示部８４は、ぜんまい１１の巻上に応じて、図７において実線及び想像線で示し図１、図３及び図４において実線で示したように、Ｓ字状の軌跡Ｆに沿ってＦ２方向に移動して、完全巻戻し位置Ｐ１0から中間位置Ｐ１を通ってフル巻上位置Ｐ１fに達する。
【００６１】
一方、巻印残量表示機構１では、表示体８０の表示部８４は、ぜんまい１１の完全巻上げ（フル巻上げ）状態Ｓ１fから完全巻戻し状態Ｓ１0への巻戻し（ほどけ）に応じて、図７において想像線及び実線で示し図４、図３及び図１において実線で示したように、Ｓ字状の軌跡Ｆに沿ってＦ１方向に移動して、フル巻上位置Ｐ１fから中間位置Ｐ１を通って完全巻戻し位置Ｐ１0に達する。
【００６２】
すなわち、この巻印残量表示機構１では、表示体８０の表示部８４は、文字板７のＳ字状の溝８３に沿って、フル巻上位置Ｐ１fと完全巻戻し位置Ｐ１0との間をＦ１方向に（通常運針を伴う巻戻しの場合）又はＦ２方向に（ぜんまい１１の巻上げの場合）にＳ字状に移動する。すなわち、巻印残量が、文字板７のＳ字状の目盛に沿った表示体８０の表示部８４の位置で表示され得る。
【００６３】
なお、この軌跡Ｆは、より詳しくは、図７において、想像線部分Ｆｉを含む全体として変則的な「８」の字状ないし筆記体の「Ｓ」字状の形状を有する。従って、例えば、完全巻戻し位置Ｐ１0及びフル巻上位置Ｐ１fとして異なる位置を採れば、全くといって良いほど異なる形状の軌跡を与えることも可能である。
【００６４】
軌跡Ｆは、交差部を有していても良いけれど、文字板の溝８３によって軌跡を表す場合には、文字板７のような軌跡Ｆの背景部分を形成する便宜上は、閉曲線でない方が好ましい。
【００６５】
全体の軌跡が、より複雑な形状を与える一変形例の巻印残量表示機構１Ａを、図８に示す。
【００６６】
この図８に示した巻印残量表示機構１Ａでは、
（１）巻印第一及び第二伝えリンク６０，７０の初期位置θ01=150度,θ02=0度
（２）歯数比ないし増速比ω=3で、巻印伝え車４０，５０の半径R1=300, R2=100、巻印第一伝え車４０の回転中心Ｄから巻印第一伝えリンク６０の回動中心６５までの長さa=240, 巻印第二伝え車５０の回転中心Ｅから巻印第二伝えリンク７０の回動中心７３までの長さb=80、
（３）巻印第一伝えリンク６０の基端側及び先端側腕部６１，６２の長さL1=600, L2=50、
（４）巻印第一伝えリンク６０の先端側腕部６２の基端側腕部６１に対する角度ξ=30度
である。
【００６７】
この図８に示した巻印残量表示機構１Ａでは、ぜんまい１１の巻上に伴う巻印第一及び第二伝え車４０，５０のＤ２，Ｅ２方向回転に応じて、巻印第一伝えリンク６０の回動中心６５が完全巻戻し位置ＱＡ0から中間位置ＱＡ１，ＱＡ２を通ってフル巻上位置ＱＡfに達し、巻印第二伝えリンク７０の回動中心７３が完全巻戻し位置ＵＡ0から中間位置ＵＡ１，ＵＡ２を通ってフル巻上位置ＵＡfに達する際に、表示体８０の表示部８４が、ν字状の軌跡ＦＡに沿って、完全巻戻し位置ＰＡ0から中間位置ＰＡ１，ＰＡ２を通ってフル巻上位置ＰＡfまでＦＡ２方向に移動する。
【００６８】
この図８に示した巻印残量表示機構１Ａでは、一方、ぜんまい１１の巻戻しに伴う巻印第一及び第二伝え車４０，５０のＤ１，Ｅ１方向回転に応じて、巻印第一伝えリンク６０の回動中心６５がフル巻上位置ＱＡfから中間位置ＱＡ２，ＱＡ１を通って完全巻戻し位置ＱＡ0に達し、巻印第二伝えリンク７０の回動中心７３がフル巻上位置ＵＡfから中間位置ＵＡ２，ＵＡ１を通って完全巻戻し位置ＵＡ0に達する際に、表示体８０の表示部８４が、ν字状の軌跡ＦＡに沿って、フル巻上位置ＰＡfから中間位置ＰＡ２，ＰＡ１を通って完全巻戻し位置ＰＡ0までＦＡ１方向に移動する。
【００６９】
すなわち、この巻印残量表示機構１Ａでは、表示体８０の表示部８４は、文字板７のν字状の溝に沿って、フル巻上位置ＰＡfと完全巻戻し位置ＰＡ0との間をＦＡ１方向に（通常運針を伴う巻戻しの場合）又はＦＡ２方向に（ぜんまい１１の巻上げの場合）にν字状に移動する。すなわち、巻印残量が、文字板７のν字状の目盛に沿った表示体８０の表示部８４の位置で表示され得る。
【００７０】
この軌跡ＦＡは、より詳しくは、図８において、想像線部分ＦＡｉを含む複雑な形状の一部である。従って、例えば、完全巻戻し位置ＰＡ１0及びフル巻上位置ＰＡfとして異なる位置を採れば全く異なる形状の軌跡を与え得る。
【００７１】
一方、表示体８０の表示部８４を直線的に変位させるようにした別の変形例を図９に示す。
【００７２】
この図９に示した巻印残量表示機構１Ｂでは、
（１）巻印第一及び第二伝えリンク６０，７０の初期位置θ01=θ02、
（２）歯数比ないし増速比ω=1で、巻印伝え車４０，５０の半径R1=R2、巻印第一及び第二伝え車４０，５０の回転中心Ｄ，Ｅから対応する巻印第一及び第二伝えリンク６０，７０の回動中心６５，７３までの長さa=b、
（３）巻印第一伝えリンク６０の腕部６２がなくその長さ L2=0、であって、巻印第一伝えリンク６０の先端側腕部６２の基端側腕部６１に対する角度ξ=0度
である。
【００７３】
この場合、巻印第一及び第二伝え車４０，５０並びに巻印第一及び第二伝えリンク６０，７０が、その鏡映対称線Ｎに関して対称に動作するので、表示体８０の表示部８４は、鏡映対象線Ｎに沿って、直線的に変位する。
【００７４】
より具体的には、この図９に示した巻印残量表示機構１Ｂでは、ぜんまい１１の巻上に伴う巻印第一及び第二伝え車４０，５０のＤ２，Ｅ２方向回転に応じて、巻印第一伝えリンク６０の回動中心６５が完全巻戻し位置ＱＢ0から中間位置ＱＢ１，ＱＢ２を通ってフル巻上位置ＱＢfに達し、巻印第二伝えリンク７０の回動中心７３が完全巻戻し位置ＵＢ0から中間位置ＵＢ１，ＵＢ２を通ってフル巻上位置ＵＢfに達する際に、表示体８０の表示部８４が、直線状の軌跡ＦＢに沿って、完全巻戻し位置ＰＢ0から中間位置ＰＢ１，ＰＢ２を通ってフル巻上位置ＰＢfまでＦＢ２方向に移動する。
【００７５】
この図９に示した巻印残量表示機構１Ａでは、一方、ぜんまい１１の巻戻しに伴う巻印第一及び第二伝え車４０，５０のＤ１，Ｅ１方向回転に応じて、巻印第一伝えリンク６０の回動中心６５がフル巻上位置ＱＢfから中間位置ＱＢ２，ＱＢ１を通って完全巻戻し位置ＱＢ0に達し、巻印第二伝えリンク７０の回動中心７３がフル巻上位置ＵＢfから中間位置ＵＢ２，ＵＢ１を通って完全巻戻し位置ＵＢ0に達する際に、表示体８０の表示部８４が、直線状の軌跡ＦＢに沿って、フル巻上位置ＰＢfから中間位置ＰＢ２，ＰＢ１を通って完全巻戻し位置ＰＢ0までＦＢ１方向に移動する。
【００７６】
すなわち、この巻印残量表示機構１Ｂでは、表示体８０の表示部８４は、文字板７の直線状の溝に沿って、フル巻上位置ＰＢfと完全巻戻し位置ＰＢ0との間をＦＢ１方向に（通常運針を伴う巻戻しの場合）又はＦＢ２方向に（ぜんまい１１の巻上げの場合）に直線状に移動する。すなわち、巻印残量が、文字板７の直線状の目盛に沿った表示体８０の表示部８４の位置で表示され得る。なお、この例では、完全巻戻し位置ＰＢ0とこれに近い中間位置ＰＢ１との間では、表示体８０の表示部８４は殆ど移動しない。従って、ある程度まで巻印残量が低下した場合、完全巻戻し状態と実際上区別し難いことから、早急な巻上を促すことになる。
【図面の簡単な説明】
【００７７】
【図１】図１は本発明の好ましい一実施例の巻印残量表示機構を備えた本発明の好ましい一実施例の機械式時計について、巻印残量表示機構が完全巻戻し状態にある場合の該巻印残量表示機構の部分の平面説明図。
【図２】図１の機械式時計のうち図１の巻印残量表示機構の部分の断面説明図。
【図３】図１の機械式時計について、巻印残量表示機構が完全巻戻し状態と完全巻上状態との中間の状態にある場合の該巻印残量表示機構の部分の平面説明図。
【図４】図１の機械式時計について、巻印残量表示機構が完全巻上状態にある場合の該巻印残量表示機構の部分の平面説明図。
【図５】図１の機械式時計の文字板側外観を示した平面説明図。
【図６−ａ】図１の機械式時計の巻印残量表示機構の表示部の軌跡の決定の仕方をっ説明するための該機構の模式的な説明図で、主として初期条件を示した説明図。
【図６−ｂ】図１の機械式時計の巻印残量表示機構の表示部の軌跡の決定の仕方をっ説明するための該機構の模式的な説明図で、各種パラメータ及び変数を説明するための模式的な説明図。
【図７】図１の機械式時計の巻印残量表示機構を、図６の模式的表示で示した本発明の好ましい一実施例の巻印残量表示機構の模式的な説明図。
【図８】本発明の一変形例の巻印残量表示機構についての図７と同様な模式的な説明図。
【図９】本発明の別の一変形例の巻印残量表示機構についての図７と同様な模式的な説明図。
【符号の説明】
【００７８】
１，１Ａ，１Ｂ  巻印残量表示機構
２  機械式時計
３  ムーブメント
５  巻印残量表示機構本体部
７  文字板
１０  香箱
１１  ぜんまい
１２  角穴ねじ
１３  香箱真
１４  角穴車
１５  香箱真かな
１６  香箱かな
１７  香箱歯車
２１  地板
２２  香箱受
２３  第二地板
２４  第二輪列受
３４  時針
３５  分針
３６  秒針
４０  巻印第一伝え車
４１  軸状部
４２  第一円板状部
４４  第一歯車部
４５  第一リンク接続部
５０  巻印第二伝え車
５１  軸状部
５２  第二円板状部
５４  第二歯車部
５５  第二リンク接続部
６０  巻印第一伝えリンク
６１  基端側腕部
６２  先端側腕部
６３  接続部（曲折部）
６４，６６  端部
６５  連結ピン構造体（回動中心）
６８  リンク連結ピン構造体（リンク結節手段）
７０  巻印第二伝えリンク
７１  直線状腕部
７２，７４  端部
７３  連結ピン構造体（回動中心）
８０  巻印残量表示体
８１  基端部
８２  軸部
８３  溝状間隙
８４  表示部
８８  連結ピン構造体（リンク結節手段）
１００  遊星ユニット
１１０  第一太陽車
１１１  第一太陽歯車
１１２  第一太陽かな
１２０  第二太陽車
１２１  第二太陽歯車
１２２  第二太陽かな
１３０  遊星中間車
１３１  遊星中間歯車
１３２  スペーサ
１４０  遊星車
１４１  第一遊星歯車
１４２  第二遊星歯車
１５０  遊星伝え車
１５１  遊星伝え歯車
１５２  遊星伝えかな
Ａ  回転方向
Ｂ１，Ｂ２，Ｄ１，Ｄ２，Ｅ１，Ｅ２  回転方向
Ｄ，Ｅ  中心軸線
Ｆ  軌跡
Ｆｉ，ＦＡｉ  原理的には移動可能性のある部分
Ｆ１，Ｆ２，ＦＡ１，ＦＡ２，ＦＢ１，ＦＢ２  移動方向
Ｐ１0，Ｑ１0，Ｕ１0，ＰＡ0，ＱＡ0，ＵＡ0，ＰＢ0，ＱＢ0，ＵＢ0  完全巻戻し位置
Ｐ１，Ｐ２，ＰＡ１，ＰＡ２，Ｑ１，Ｑ２，ＱＡ１，ＱＡ２，Ｕ１，Ｕ２，ＵＡ１，ＵＡ２  中間位置
Ｐ１f，Ｑ１f，Ｕ１f，ＰＡf，ＱＡf，ＵＡf，ＰＢf，ＱＢf，ＵＢf，  フル巻上位置
Ｓ１0  完全巻戻し状態
Ｓ１f  フル巻上状態
【図１】
0005133718.tif 000002
【図２】
0005133718.tif 000003
【図３】
0005133718.tif 000004
【図４】
0005133718.tif 000005
【図５】
0005133718.tif 000006
【図６−ａ】
0005133718.tif 000007
【図６−ｂ】
0005133718.tif 000008
【図７】
0005133718.tif 000009
【図８】
0005133718.tif 000010
【図９】
0005133718.tif 000011